Podtech/llm-jp-corpus-v4-ja_patent huggingface dataset:
【手続補正書】
【提出日】平成27年6月19日(2015.6.19)
【手続補正１】
【補正対象書類名】明細書
【補正対象項目名】発明の名称
【補正方法】変更
【補正の内容】
【発明の名称】エネルギー取出装置
【手続補正２】
【補正対象書類名】特許請求の範囲
【補正対象項目名】全文
【補正方法】変更
【補正の内容】
【特許請求の範囲】
【請求項１】
温度差からエネルギーを取り出すエネルギー取出装置であって、
前記温度差を電力又は動力に変換する変換手段と、
前記変換手段の高温側を加熱する加熱手段と、を備え、
前記加熱手段は、亜酸化窒素の分解により発生する分解熱によって加熱を行うことを特徴とするエネルギー取出装置。
【請求項２】
前記変換手段の低温側を冷却する冷却手段を備え、
前記冷却手段は、亜酸化窒素の断熱膨張に伴う冷却熱によって冷却を行うことを特徴とする請求項１に記載のエネルギー取出装置。
【請求項３】
前記亜酸化窒素を分解する亜酸化窒素分解用触媒が配置された分解反応部と、
前記亜酸化窒素を断熱膨張させることにより得られた亜酸化窒素ガスを前記冷却手段に供給する第１の供給ラインと、
前記冷却手段から排出された亜酸化窒素ガスを前記分解反応部に供給する第２の供給ラインと、
前記分解反応部で前記亜酸化窒素ガスを分解することにより得られた亜酸化窒素の分解ガスを前記加熱手段に供給する第３の供給ラインと、を備え、
前記分解反応部において、前記亜酸化窒素ガスを前記亜酸化窒素分解用触媒を用いて分解した後、この亜酸化窒素ガスの分解により発生する分解熱によって、その後に供給される亜酸化窒素ガスの分解が継続されることを特徴とする請求項２に記載のエネルギー取出装置。
【請求項４】
熱回収された熱により蒸気を発生させる分解熱回収ボイラーと、
前記分解熱回収ボイラーで発生した蒸気により回転駆動される蒸気タービンと、
前記蒸気タービンの駆動により発電する発電機と、
前記第３の供給ラインの途中に形成され、前記亜酸化窒素ガスの分解により発生する分解熱を前記分解熱回収ボイラーに貯留された作動媒体に放熱する分解ガス放熱部と、
を備えることを特徴とする請求項３に記載のエネルギー取出装置。
【請求項５】
前記第３の供給ラインの途中に配置され、前記分解反応部において前記亜酸化窒素分解用触媒により前記亜酸化窒素ガスを分解した分解ガスにより回転駆動される分解ガスタービンと、
前記分解ガスタービンの駆動により発電する発電機と、
を備えることを特徴とする請求項３に記載のエネルギー取出装置。
【請求項６】
熱回収された熱により蒸気を発生させる分解熱回収ボイラーと、
前記分解熱回収ボイラーで発生した蒸気により回転駆動される蒸気タービンと、
前記蒸気タービンの駆動により発電する発電機と、
前記第３の供給ラインの途中の前記分解ガスタービンの下流側に形成され、前記分解ガスタービンの熱を前記分解熱回収ボイラーに貯留された作動媒体に放熱する第１の排ガス放熱部と、
を備えることを特徴とする請求項５に記載のエネルギー取出装置。
【請求項７】
前記加熱手段から排出された排出ガスの熱を前記分解熱回収ボイラーに貯留された作動媒体に放熱する第２の排ガス放熱部を備えることを特徴とする請求項４又は６に記載のエネルギー取出装置。
【請求項８】
前記分解反応部に供給される亜酸化窒素ガスの流量を調整する流量調整手段を備え、
前記分解反応部に供給される亜酸化窒素ガスの流量を調整することによって、前記分解ガスの温度制御を行うことを特徴とする請求項３〜７のいずれか１項に記載のエネルギー取出装置。
【請求項９】
前記分解反応部に供給される亜酸化窒素ガスの濃度を調整する濃度調整手段を備え、
前記分解反応部に供給される亜酸化窒素ガスの濃度を調整することによって、前記分解ガスの温度制御を行うことを特徴とする請求項３〜８のいずれか１項に記載のエネルギー取出装置。
【請求項１０】
前記濃度調整手段は、前記亜酸化窒素ガス中に窒素ガスを添加することによって、前記亜酸化窒素ガスの濃度調整を行うことを特徴とする請求項９に記載のエネルギー取出装置。
【請求項１１】
前記亜酸化窒素分解用触媒又は分解ガスの温度を測定する温度測定手段を備え、
前記温度測定手段による測定結果に基づいて、前記流量調整手段による流量調整、又は、前記濃度調整手段による濃度調整を行うことを特徴とする請求項８〜１０のいずれか１項に記載のエネルギー取出装置。
【請求項１２】
前記亜酸化窒素分解用触媒を予熱する予熱手段を備え、
前記亜酸化窒素の分解を開始する前に、前記亜酸化窒素分解用触媒の予熱を行うことを特徴とする請求項３〜１１のいずれか１項に記載のエネルギー取出装置。
【請求項１３】
前記分解反応部に窒素ガスを供給する窒素ガス供給手段を備え、
前記分解反応部への亜酸化窒素ガスの供給を停止した後に、前記分解反応部に窒素ガスを供給することを特徴とする請求項３〜１２のいずれか１項に記載のエネルギー取出装置。
【請求項１４】
前記亜酸化窒素が充填された高圧ガス容器を備え、この高圧ガス容器から放出されて断熱膨張した亜酸化窒素ガスを前記第１の供給ラインに供給することを特徴とする請求項３〜１３のいずれか１項に記載のエネルギー取出装置。
【請求項１５】
前記変換手段は、温度差を電力に変換する熱電変換素子であることを特徴とする請求項１〜１４のいずれか１項に記載のエネルギー取出装置。
【請求項１６】
前記変換手段は、温度差を動力に変換するスターリングエンジン又はヒートパイプタービンとされ、
前記スターリングエンジン又はヒートパイプの駆動により発電する発電機を備えることを特徴とする請求項１〜１４のいずれか１項に記載のエネルギー取出装置。
【請求項１７】
前記変換手段は、温度差を電力に変換する熱電変換素子と、スターリングエンジンと、を備え、高温低温側は、上流側から前記熱電変換素子、前記スターリングエンジンの順に接続され、低温高温側は、上流側から前記スターリングエンジン、前記熱電変換素子の順に接続された構成体とされ、
前記スターリングエンジンの駆動により発電する発電機を備えることを特徴とする請求項３〜１４のいずれか１項に記載のエネルギー取出装置。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
所定の始動条件の成立により遊技を実行し、該遊技が特別な結果となる場合に遊技者に特典を付与する特別遊技状態を発生させる遊技機において、
前記特別遊技状態を発生させる制御を行う遊技制御装置を備えるとともに、
前記遊技制御装置には、
遊技制御プログラムを記憶する遊技制御プログラム記憶手段と、
前記遊技制御プログラムにより所要の演算処理を行う演算処理手段と、
前記演算処理を行う際に値が記憶されるレジスタと、
前記演算処理手段によって更新される情報が記憶される更新情報記憶手段と、
を備え、
前記更新情報記憶手段には複数バイトのアドレスが割り当てられ、該アドレスにより該更新情報記憶手段に記憶される情報が特定され、
前記レジスタには、前記アドレスの上位バイトを指定可能な上位アドレス指定レジスタが含まれるとともに、
前記演算処理手段は、所定の起動信号が発生すると、前記遊技制御プログラムのリセットアドレスに設定された命令を実行し、
前記起動信号が発生した際に、前記演算処理手段が前記遊技制御プログラムのリセットアドレスに設定された命令を実行するよりも前に、前記上位アドレス指定レジスタに前記更新情報記憶手段に割り当てられた固有のアドレス値を設定する固有値設定手段を備え、
前記更新情報記憶手段は、前記遊技の実行に関連する乱数を保存する乱数保存領域を含み、
前記乱数保存領域は、前記所定の始動条件の成立に基づいて、前記遊技の実行に関連する乱数を所定数を上限として保持し、
前記遊技の実行に関連する乱数を格納する領域の上位アドレスが同一になるように設定されていることを特徴とする遊技機。
【手続補正２】
【補正対象書類名】明細書
【補正対象項目名】００１０
【補正方法】変更
【補正の内容】
【００１０】
本発明の代表的な一形態では、所定の始動条件の成立により遊技を実行し、該遊技が特別な結果となる場合に遊技者に特典を付与する特別遊技状態を発生させる遊技機において、前記特別遊技状態を発生させる制御を行う遊技制御装置を備えるとともに、前記遊技制御装置には、遊技制御プログラムを記憶する遊技制御プログラム記憶手段と、前記遊技制御プログラムにより所要の演算処理を行う演算処理手段と、前記演算処理を行う際に値が記憶されるレジスタと、前記演算処理手段によって更新される情報が記憶される更新情報記憶手段と、を備え、前記更新情報記憶手段には複数バイトのアドレスが割り当てられ、該アドレスにより該更新情報記憶手段に記憶される情報が特定され、前記レジスタには、前記アドレスの上位バイトを指定可能な上位アドレス指定レジスタが含まれるとともに、前記演算処理手段は、所定の起動信号が発生すると、前記遊技制御プログラムのリセットアドレスに設定された命令を実行し、前記起動信号が発生した際に、前記演算処理手段が前記遊技制御プログラムのリセットアドレスに設定された命令を実行するよりも前に、前記上位アドレス指定レジスタに前記更新情報記憶手段に割り当てられた固有のアドレス値を設定する固有値設定手段を備え、前記更新情報記憶手段は、前記遊技の実行に関連する乱数を保存する乱数保存領域を含み、前記乱数保存領域は、前記所定の始動条件の成立に基づいて、前記遊技の実行に関連する乱数を所定数を上限として保持し、前記遊技の実行に関連する乱数を格納する領域の上位アドレスが同一になるように設定されている。
【手続補正３】
【補正対象書類名】明細書
【補正対象項目名】００１１
【補正方法】変更
【補正の内容】
【００１１】
本発明の一形態によれば、上位アドレス指定レジスタを用いることによって、下位アドレスのみを指定すればよいため、遊技制御プログラム全体のコード量を削減することが可能となる。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御装置を備えた遊技機において、
前記遊技制御装置には、
遊技制御プログラムを記憶する遊技制御プログラム記憶手段と、
前記遊技制御プログラムにより所要の演算処理を行う演算処理手段と、
前記演算処理を行う際にデータが記憶されるレジスタと、
前記演算処理手段によって更新される情報が記憶される更新情報記憶手段と、
を備え、
前記更新情報記憶手段には複数バイトのアドレスが割り当てられ、該アドレスにより該更新情報記憶手段に記憶される情報が特定され、
前記レジスタには、前記アドレスの上位バイトを指定可能な上位アドレス指定レジスタが含まれ、
該更新情報記憶手段に記憶された情報の更新を規制する更新規制手段を備えるとともに、
当該遊技機への電源供給が停止しても前記記憶された情報の記憶保持を可能に構成し、
前記演算処理手段は、
所定の起動信号が発生すると、前記遊技制御プログラムのリセットアドレスに設定された命令を実行し、
前記起動信号が発生した際に、前記演算処理手段が前記遊技制御プログラムのリセットアドレスに設定された命令を実行するよりも前に、前記上位アドレス指定レジスタに前記更新情報記憶手段に割り当てられた固有のアドレス値を設定するとともに、前記更新規制手段により、前記更新情報記憶手段に記憶された情報の更新を禁止する更新禁止状態を発生し、
前記遊技制御プログラムの実行開始後は、前記上位アドレス指定レジスタに前記固有のアドレス値を再度設定した後に、前記更新禁止状態を解除し、次いで、前記上位アドレス指定レジスタにより指定されるアドレスに記憶された情報を用いて遊技制御を開始することを特徴とする遊技機。
【請求項２】
前記固有のアドレス値は、前記更新情報記憶手段に割り当てられたアドレスの上位バイトが取り得る値のうちの最も小さい値であることを特徴とする請求項１に記載の遊技機。
【手続補正２】
【補正対象書類名】明細書
【補正対象項目名】００１０
【補正方法】変更
【補正の内容】
【００１０】
本発明の代表的な一形態では、遊技を統括的に制御する遊技制御装置を備えた遊技機において、前記遊技制御装置には、遊技制御プログラムを記憶する遊技制御プログラム記憶手段と、前記遊技制御プログラムにより所要の演算処理を行う演算処理手段と、前記演算処理を行う際にデータが記憶されるレジスタと、前記演算処理手段によって更新される情報が記憶される更新情報記憶手段と、を備え、前記更新情報記憶手段には複数バイトのアドレスが割り当てられ、該アドレスにより該更新情報記憶手段に記憶される情報が特定され、前記レジスタには、前記アドレスの上位バイトを指定可能な上位アドレス指定レジスタが含まれ、該更新情報記憶手段に記憶された情報の更新を規制する更新規制手段を備えるとともに、当該遊技機への電源供給が停止しても前記記憶された情報の記憶保持を可能に構成し、前記演算処理手段は、所定の起動信号が発生すると、前記遊技制御プログラムのリセットアドレスに設定された命令を実行し、前記起動信号が発生した際に、前記演算処理手段が前記遊技制御プログラムのリセットアドレスに設定された命令を実行するよりも前に、前記上位アドレス指定レジスタに前記更新情報記憶手段に割り当てられた固有のアドレス値を設定するとともに、前記更新規制手段により、前記更新情報記憶手段に記憶された情報の更新を禁止する更新禁止状態を発生し、前記遊技制御プログラムの実行開始後は、前記上位アドレス指定レジスタに前記固有のアドレス値を再度設定した後に、前記更新禁止状態を解除し、次いで、前記上位アドレス指定レジスタにより指定されるアドレスに記憶された情報を用いて遊技制御を開始する。
【手続補正３】
【補正対象書類名】明細書
【補正対象項目名】００１１
【補正方法】変更
【補正の内容】
【００１１】
本発明の一形態によれば、遊技制御プログラム全体のコード量を削減することが可能となる。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
所定の始動条件の成立により遊技を実行し、該遊技が特別な結果となる場合に遊技者に特典を付与する特別遊技状態を発生させる遊技制御を行う遊技制御装置を備えた遊技機において、
前記遊技制御装置には、
遊技制御プログラムを記憶する遊技制御プログラム記憶手段と、
前記遊技制御プログラムにより所要の演算処理を行う演算処理手段と、
前記演算処理を行う際に値が記憶されるレジスタと、
前記演算処理手段によって更新される情報が記憶される更新情報記憶手段と、
を備え、
前記更新情報記憶手段には複数バイトのアドレスが割り当てられ、該アドレスにより該更新情報記憶手段に記憶される情報が特定され、
前記レジスタには、前記アドレスの上位バイトを指定可能な上位アドレス指定レジスタと、複数の汎用レジスタと、が含まれ、
前記遊技制御装置は、
前記上位アドレス指定レジスタに、前記更新情報記憶手段のアドレスの上位バイトを記憶させ、
所定の割込信号が発生した場合に、所定の割込処理を実行し、
前記所定の割込処理の実行を許可又は禁止する割込処理実行制御手段と、
前記上位アドレス指定レジスタに記憶されている値を上位バイト、前記汎用レジスタに記憶されている値を下位バイトとして合成した値を格納先アドレスとし、前記下位バイトの値が記憶されている汎用レジスタとは異なる汎用レジスタに記憶されている値を、前記格納先アドレスに記憶させる命令と、を備え、
前記割込処理実行制御手段によって前記所定の割込処理の実行を許可している間は、前記命令を使用しないことを特徴とする遊技機。
【手続補正２】
【補正対象書類名】明細書
【補正対象項目名】００１０
【補正方法】変更
【補正の内容】
【００１０】
本発明の代表的な一形態では、所定の始動条件の成立により遊技を実行し、該遊技が特別な結果となる場合に遊技者に特典を付与する特別遊技状態を発生させる遊技制御を行う遊技制御装置を備えた遊技機において、前記遊技制御装置には、遊技制御プログラムを記憶する遊技制御プログラム記憶手段と、前記遊技制御プログラムにより所要の演算処理を行う演算処理手段と、前記演算処理を行う際に値が記憶されるレジスタと、前記演算処理手段によって更新される情報が記憶される更新情報記憶手段と、を備え、前記更新情報記憶手段には複数バイトのアドレスが割り当てられ、該アドレスにより該更新情報記憶手段に記憶される情報が特定され、前記レジスタには、前記アドレスの上位バイトを指定可能な上位アドレス指定レジスタと、複数の汎用レジスタと、が含まれ、前記遊技制御装置は、前記上位アドレス指定レジスタに、前記更新情報記憶手段のアドレスの上位バイトを記憶させ、所定の割込信号が発生した場合に、所定の割込処理を実行し、前記所定の割込処理の実行を許可又は禁止する割込処理実行制御手段と、前記上位アドレス指定レジスタに記憶されている値を上位バイト、前記汎用レジスタに記憶されている値を下位バイトとして合成した値を格納先アドレスとし、前記下位バイトの値が記憶されている汎用レジスタとは異なる汎用レジスタに記憶されている値を、前記格納先アドレスに記憶させる命令と、を備え、前記割込処理実行制御手段によって前記所定の割込処理の実行を許可している間は、前記命令を使用しない。
【手続補正３】
【補正対象書類名】明細書
【補正対象項目名】００１１
【補正方法】変更
【補正の内容】
【００１１】
本発明の一形態によれば、上位アドレス指定レジスタを用いることによって、下位アドレスのみを指定すればよいため、遊技制御プログラム全体のコード量を削減することが可能となる。
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
被検体が横たわる天板と、
前記天板上の被検体に向けてＸ線を照射するＸ線管と、
前記Ｘ線管が照射するＸ線を遮断する開閉可能な絞りと、
前記Ｘ線管により照射され前記絞りを通過して前記天板上の被検体を透過したＸ線を検出するＸ線検出器と、
前記Ｘ線管を支持する回転体と、
前記回転体を前記天板上の被検体の体軸まわりに回転させる回転駆動部と、
前記天板上の被検体の体軸方向に前記天板又は前記回転体を移動させる移動駆動部と、
前記移動駆動部により移動する前記天板又は前記回転体の位置情報を取得する位置情報取得部と、
前記位置情報取得部により取得された前記位置情報に応じて、前記絞りの開閉動作を制御する制御部と、
を備えることを特徴とするＸ線ＣＴ装置。
【請求項２】
前記制御部は、
前記位置情報と前記絞りの開動作の開始位置とを比較し、前記絞りの開動作の開始タイミングを検出する位置トリガ検出部と、
前記位置情報から前記天板の移動速度を導出する速度検出部と、
前記位置トリガ検出部により前記開動作の開始タイミングが検出された場合、前記絞りの開動作を開始し、前記速度検出部により導出された前記天板の移動速度に応じて前記絞りの開動作速度を制御する開閉制御部と、
を具備することを特徴とする請求項１記載のＸ線ＣＴ装置。
【請求項３】
前記制御部は、
前記位置情報と前記絞りの閉動作の開始位置とを比較し、前記絞りの閉動作の開始タイミングを検出する位置トリガ検出部と、
前記位置情報から前記天板の移動速度を導出する速度検出部と、
前記位置トリガ検出部により前記閉動作の開始タイミングが検出された場合、前記絞りの閉動作を開始し、前記速度検出部により導出された前記天板の移動速度に応じて前記絞りの閉動作速度を制御する開閉制御部と、
を具備することを特徴とする請求項１記載のＸ線ＣＴ装置。
【請求項４】
前記回転体を回転可能に保持する架台をさらに備え、
前記移動駆動部は、前記天板上の被検体の体軸方向に前記架台を移動させ、
前記位置情報取得部は、前記移動駆動部により移動する前記回転体の位置情報として、前記架台の位置情報を取得することを特徴とする請求項１ないし３のいずれか一に記載のＸ線ＣＴ装置。
【請求項５】
被検体が横たわる天板と、前記天板上の被検体に向けてＸ線を照射するＸ線管と、前記Ｘ線管が照射するＸ線を遮断する開閉可能な絞りと、前記Ｘ線管により照射され前記絞りを通過して前記天板上の被検体を透過したＸ線を検出するＸ線検出器と、前記Ｘ線管を支持する回転体と、前記回転体を前記天板上の被検体の体軸まわりに回転させる回転駆動部と、前記天板上の被検体の体軸方向に前記天板又は前記回転体を移動させる移動駆動部とを備えるＸ線ＣＴ装置を制御するＸ線ＣＴ装置の制御方法であって、
前記移動駆動部により移動する前記天板又は前記回転体の位置情報を位置情報取得部により取得するステップと、
取得した前記位置情報に応じて、前記絞りの開閉動作を制御部により制御するステップと、
を有することを特徴とするＸ線ＣＴ装置の制御方法。
【請求項６】
前記制御するステップでは、前記位置情報と前記絞りの開動作の開始位置とを比較し、前記絞りの開動作の開始タイミングを検出すると、前記絞りの開動作を開始し、前記位置情報から前記天板の移動速度を導出し、その導出した前記天板の移動速度に応じて前記絞りの開動作速度を制御することを特徴とする請求項５記載のＸ線ＣＴ装置の制御方法。
【請求項７】
前記制御するステップでは、前記位置情報と前記絞りの閉動作の開始位置とを比較し、前記絞りの閉動作の開始タイミングを検出すると、前記絞りの閉動作を開始し、前記位置情報から前記天板の移動速度を導出し、その導出した前記天板の移動速度に応じて前記絞りの閉動作速度を制御することを特徴とする請求項５記載のＸ線ＣＴ装置の制御方法。
【請求項８】
前記Ｘ線ＣＴ装置は、前記回転体を回転可能に保持する架台をさらに備えており、
前記移動駆動部は、前記天板上の被検体の体軸方向に前記架台を移動させ、
前記取得するステップでは、前記移動駆動部により移動する前記回転体の位置情報として、前記架台の位置情報を取得することを特徴とする請求項５ないし７のいずれか一に記載のＸ線ＣＴ装置の制御方法。
【手続補正２】
【補正対象書類名】明細書
【補正対象項目名】発明の名称
【補正方法】変更
【補正の内容】
【発明の名称】Ｘ線ＣＴ装置及びＸ線ＣＴ装置の制御方法
【手続補正３】
【補正対象書類名】明細書
【補正対象項目名】００１０
【補正方法】変更
【補正の内容】
【００１０】
実施形態に係るＸ線ＣＴ装置は、被検体が横たわる天板と、天板上の被検体に向けてＸ線を照射するＸ線管と、Ｘ線管が照射するＸ線を遮断する開閉可能な絞りと、Ｘ線管により照射され絞りを通過して天板上の被検体を透過したＸ線を検出するＸ線検出器と、Ｘ線管を支持する回転体と、回転体を天板上の被検体の体軸まわりに回転させる回転駆動部と、天板上の被検体の体軸方向に天板又は回転体を移動させる移動駆動部と、移動駆動部により移動する天板又は回転体の位置情報を取得する位置情報取得部と、位置情報取得部により取得された位置情報に応じて、絞りの開閉動作を制御する制御部とを備える。
【手続補正４】
【補正対象書類名】明細書
【補正対象項目名】００１１
【補正方法】変更
【補正の内容】
【００１１】
実施形態に係るＸ線ＣＴ装置の制御方法は、被検体が横たわる天板と、天板上の被検体に向けてＸ線を照射するＸ線管と、Ｘ線管が照射するＸ線を遮断する開閉可能な絞りと、Ｘ線管により照射され絞りを通過して天板上の被検体を透過したＸ線を検出するＸ線検出器と、Ｘ線管を支持する回転体と、回転体を天板上の被検体の体軸まわりに回転させる回転駆動部と、天板上の被検体の体軸方向に天板又は回転体を移動させる移動駆動部とを備えるＸ線ＣＴ装置を制御するＸ線ＣＴ装置の制御方法であって、移動駆動部により移動する天板又は回転体の位置情報を位置情報取得部により取得するステップと、取得した位置情報に応じて、絞りの開閉動作を制御部により制御するステップとを有する。
【手続補正書】
【提出日】平成27年3月19日(2015.3.19)
【手続補正１】
【補正対象書類名】明細書
【補正対象項目名】０００７
【補正方法】変更
【補正の内容】
【０００７】
上記目的を達成するため、本発明の運動回数計測装置は、
被写体を撮像する撮像手段と、
前記撮像手段により撮像される前記被写体と前記撮像手段との距離に応じて変化する被写体部分のサイズを検出するサイズ検出手段と、
前記サイズ検出手段により検出される前記被写体部分のサイズと比較される基準サイズが記憶されている記憶手段と、
前記サイズ検出手段により検出された前記被写体部分のサイズと、前記記憶手段に記憶されている前記基準サイズとを比較する比較手段と、
前記比較手段の比較結果に基づいて前記被写体の運動回数を計測する計測手段と、
を備えることを特徴とする。
【手続補正２】
【補正対象書類名】明細書
【補正対象項目名】０００８
【補正方法】変更
【補正の内容】
【０００８】
また、本発明の運動回数計測方法は、
被写体を撮像する撮像手段と、前記撮像手段により撮像される前記被写体の被写体部分のサイズと比較される基準サイズが記憶されている記憶手段と、を備えた運動回数計測装置による運動回数計測方法において、
前記撮像手段により撮像される前記被写体と前記撮像手段との距離に応じて変化する前記被写体部分のサイズを検出するサイズ検出ステップと、
前記サイズ検出ステップにより検出された前記被写体部分のサイズと、前記記憶手段に記憶されている前記基準サイズとを比較する比較ステップと、
前記比較ステップの比較結果に基づいて前記被写体の運動回数を計測する計測ステップと、
を有することを特徴とする。
【手続補正３】
【補正対象書類名】明細書
【補正対象項目名】０００９
【補正方法】変更
【補正の内容】
【０００９】
また、本発明のプログラムは、
被写体を撮像する撮像手段を備えた運動回数計測装置のコンピュータを、
前記撮像手段により撮像される前記被写体と前記撮像手段との距離に応じて変化する被写体部分のサイズを検出するサイズ検出手段、
前記サイズ検出手段により検出される前記被写体部分のサイズと比較する基準サイズが記憶されている記憶手段、
前記サイズ検出手段により検出された前記被写体部分のサイズと、前記記憶手段に記憶されている前記基準サイズとを比較する比較手段、
前記比較手段の比較結果に基づいて前記被写体の運動回数を計測する計測手段、
として機能させることを特徴とする。
【手続補正４】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像される前記被写体と前記撮像手段との距離に応じて変化する被写体部分のサイズを検出するサイズ検出手段と、
前記サイズ検出手段により検出される前記被写体部分のサイズと比較される基準サイズが記憶されている記憶手段と、
前記サイズ検出手段により検出された前記被写体部分のサイズと、前記記憶手段に記憶されている前記基準サイズとを比較する比較手段と、
前記比較手段の比較結果に基づいて前記被写体の運動回数を計測する計測手段と、
を備えることを特徴とする運動回数計測装置。
【請求項２】
前記計測手段は、前記比較手段の比較結果より得られた前記被写体部分のサイズが前記基準サイズと一致していない第１の状態と、前記基準サイズと一致した第２の状態との間の移行回数を計測する、
ことを特徴とする請求項１に記載の運動回数計測装置
【請求項３】
前記撮像手段により撮像される前記被写体に基づいて、前記基準サイズを設定するサイズ設定手段と、
前記サイズ設定手段により設定された前記基準サイズを前記記憶手段に記憶させる記憶制御手段と、
を更に備えることを特徴とする請求項１に記載の運動回数計測装置。
【請求項４】
前記撮像手段により撮像された前記被写体を表示手段に表示させる表示制御手段と、
前記被写体部分の周囲に枠画像を設定するフレーム設定手段と、
をさらに備え、
前記表示制御手段は、前記撮像された前記被写体に前記フレーム設定手段により設定された枠画像を同時に前記表示手段に表示させる、
ことを特徴とする請求項１に記載の運動回数計測装置。
【請求項５】
前記表示制御手段は、前記計測手段による計測結果と前記被写体部分とを同時に前記表示手段に表示させる、
ことを特徴とする請求項４に記載の運動回数計測装置。
【請求項６】
前記サイズ検出手段は、前記被写体部分のサイズとして顔領域のサイズを検出する、
ことを特徴とする請求項１から５の何れか１項に記載の運動回数計測装置。
【請求項７】
被写体を撮像する撮像手段と、前記撮像手段により撮像される前記被写体の被写体部分のサイズと比較される基準サイズが記憶されている記憶手段と、を備えた運動回数計測装置による運動回数計測方法において、
前記撮像手段により撮像される前記被写体と前記撮像手段との距離に応じて変化する前記被写体部分のサイズを検出するサイズ検出ステップと、
前記サイズ検出ステップにより検出された前記被写体部分のサイズと、前記記憶手段に記憶されている前記基準サイズとを比較する比較ステップと、
前記比較ステップの比較結果に基づいて前記被写体の運動回数を計測する計測ステップと、
を有することを特徴とする運動回数計測方法。
【請求項８】
被写体を撮像する撮像手段を備えた運動回数計測装置のコンピュータを、
前記撮像手段により撮像される前記被写体と前記撮像手段との距離に応じて変化する被写体部分のサイズを検出するサイズ検出手段、
前記サイズ検出手段により検出される前記被写体部分のサイズと比較する基準サイズが記憶されている記憶手段、
前記サイズ検出手段により検出された前記被写体部分のサイズと、前記記憶手段に記憶されている前記基準サイズとを比較する比較手段、
前記比較手段の比較結果に基づいて前記被写体の運動回数を計測する計測手段、
として機能させることを特徴とするプログラム。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
遊技球が流下する遊技領域が前面に形成された遊技盤と、前記遊技盤の盤面を覆う前面扉とを備える遊技機であって、
前記前面扉が、前面側の前面部材が後面側のベース部材に支持された構成を有し、
前記前面部材が、光透過性を有する支持部材と一体化されていることを特徴とする遊技機。
【請求項２】
前記前面部材の周縁部に周壁が形成され、前記支持部材の周縁部にフランジ部が形成され、前記支持部材の前記フランジ部が前記前面部材の前記周壁の延出端に固定されていることを特徴とする請求項１に記載の遊技機。
【請求項３】
前記前面部材に、支持突起が前記支持部材に向けて延出するように形成され、前記支持部材に、前記支持突起を内包し得る凹入部が形成されていることを特徴とする請求項１または請求項２に記載の遊技機。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
相対的に大きい直径を有する遊技球と相対的に小さい直径を有する遊技球とに遊技球を分別する分別機構を備える遊技機であって、
前記分別機構が、
相対的に大きい直径を有する遊技球の通過を規制するとともに、相対的に小さい直径を有する遊技球の通過を規制しない寸法および形状を有する開放部と、
前記開放部によって通過を規制された相対的に大きい直径を有する遊技球を、該相対的に大きい直径を有する遊技球が前記開放部を通過しようとする方向と反対側へ押し戻す押し戻し手段と、
前記押し戻し手段により押し戻された相対的に大きい直径を有する遊技球を、所定の排出経路のほうへ送り出す送出手段とを備えることを特徴とする遊技機。
【請求項２】
前記開放部が、板状部材である分級板に穿設された貫通部となっていて、前記相対的に大きい直径を有する遊技球を通過しようとする方向に部分的に突出させた体勢で拘束し得るものとなっており、前記押し戻し手段が、当接片が延出する板状部材となっていて、前記分級板において前記相対的に大きい直径を有する遊技球が通過しようとする方向に突出する側の表面に沿って配置され、前記送出手段が、当接片が延出する板状部材となっていて、前記分級板において前記相対的に大きい直径を有する遊技球が通過しようとする方向と反対側の表面に沿って配置され、前記押し戻し手段と前記送出手段とが、それぞれ、前記当接片が前記開放部の位置を通過するように駆動されるようになっていることを特徴とする請求項１に記載の遊技機。
【請求項３】
前記押し戻し手段と前記送出手段とが、軸周りに同一方向に同一速度で回転駆動される部材となっており、前記押し戻し手段に対し、前記送出手段が、前記回転駆動方向と逆の方向側にほぼ遊技球１球ぶんずれるように配置されていることを特徴とする請求項１または請求項２に記載の遊技機。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御装置を備えた遊技機において、
前記遊技制御装置には、
遊技制御プログラムを記憶する遊技制御プログラム記憶手段と、
前記遊技制御プログラムにより所要の演算処理を行う演算処理手段と、
前記演算処理を行う際にデータが記憶されるレジスタと、
が備えられ、
前記レジスタには、前記遊技制御プログラムが記憶されるアドレスの値が前記演算処理手段によって設定可能な分岐アドレス設定レジスタが含まれ、
前記遊技制御プログラムには、前記分岐アドレス設定レジスタに設定された値のアドレスに処理を分岐させる特定の命令が含まれ、
前記演算処理手段は、所定の起動信号が発生すると、前記遊技制御プログラムのリセットアドレスに設定された命令を実行し、
前記起動信号が発生した際に、前記演算処理手段が前記遊技制御プログラムのリセットアドレスに設定された命令を実行するよりも前に、前記分岐アドレス設定レジスタに固有のアドレス値を設定する固有値設定手段を備え、
前記遊技制御プログラムの実行開始後は、前記分岐アドレス設定レジスタ以外のレジスタを用いた命令を実行するまでは、該分岐アドレス設定レジスタにおいて前記アドレス値を維持することを特徴とする遊技機。
【請求項２】
前記固有値設定手段によって前記分岐アドレス設定レジスタに設定される固有のアドレス値は、前記遊技制御プログラムのリセットアドレスであることを特徴とする請求項１に記載の遊技機。
【手続補正２】
【補正対象書類名】明細書
【補正対象項目名】０００８
【補正方法】変更
【補正の内容】
【０００８】
本発明の代表的な一形態では、遊技を統括的に制御する遊技制御装置を備えた遊技機において、前記遊技制御装置には、遊技制御プログラムを記憶する遊技制御プログラム記憶手段と、前記遊技制御プログラムにより所要の演算処理を行う演算処理手段と、前記演算処理を行う際にデータが記憶されるレジスタと、が備えられ、前記レジスタには、前記遊技制御プログラムが記憶されるアドレスの値が前記演算処理手段によって設定可能な分岐アドレス設定レジスタが含まれ、前記遊技制御プログラムには、前記分岐アドレス設定レジスタに設定された値のアドレスに処理を分岐させる特定の命令が含まれ、前記演算処理手段は、所定の起動信号が発生すると、前記遊技制御プログラムのリセットアドレスに設定された命令を実行し、前記起動信号が発生した際に、前記演算処理手段が前記遊技制御プログラムのリセットアドレスに設定された命令を実行するよりも前に、前記分岐アドレス設定レジスタに固有のアドレス値を設定する固有値設定手段を備え、前記遊技制御プログラムの実行開始後は、前記分岐アドレス設定レジスタ以外のレジスタを用いた命令を実行するまでは、該分岐アドレス設定レジスタにおいて前記アドレス値を維持する。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
所定の始動条件の成立により特図変動表示ゲームを実行し、該特図変動表示ゲームの結果が所定の結果態様となる場合に遊技者に特典を付与する特別遊技状態を発生させる遊技制御を行う遊技制御装置を備えた遊技機において、
前記遊技制御装置には、
遊技制御プログラムを記憶する遊技制御プログラム記憶手段と、
前記遊技制御プログラムにより所要の演算処理を行う演算処理手段と、
前記演算処理を行う際に値が記憶されるレジスタと、
が備えられ、
前記レジスタには、前記演算処理手段によって前記遊技制御プログラムが記憶されるアドレスの値が設定可能な分岐アドレス設定レジスタが含まれ、
前記遊技制御プログラムには、前記分岐アドレス設定レジスタに設定された値のアドレスに処理を分岐させる特定の命令が含まれ、
前記演算処理手段は、所定の起動信号が発生すると、前記遊技制御プログラムのリセットアドレスに設定された命令を実行し、
前記起動信号が発生した際に、前記演算処理手段が前記遊技制御プログラムのリセットアドレスに設定された命令を実行するよりも前に、前記分岐アドレス設定レジスタに固有のアドレス値を設定する固有値設定手段を備え、
前記分岐アドレス設定レジスタを用いた分岐によって、前記特図変動表示ゲームのシーケンス制御を行うことを特徴とする遊技機。
【請求項２】
前記固有値設定手段によって前記分岐アドレス設定レジスタに設定される固有のアドレス値は、前記遊技制御プログラムのリセットアドレスであることを特徴とする請求項１に記載の遊技機。
【請求項３】
前記固有値設定手段は、前記演算処理手段が前記遊技制御プログラムのリセットアドレスに設定された命令を実行するよりも前に、スタックポインタに初期値を設定することを特徴とする請求項２に記載の遊技機。
【手続補正２】
【補正対象書類名】明細書
【補正対象項目名】０００８
【補正方法】変更
【補正の内容】
【０００８】
本発明の代表的な一形態では、所定の始動条件の成立により特図変動表示ゲームを実行し、該特図変動表示ゲームの結果が所定の結果態様となる場合に遊技者に特典を付与する特別遊技状態を発生させる遊技制御を行う遊技制御装置を備えた遊技機において、前記遊技制御装置には、遊技制御プログラムを記憶する遊技制御プログラム記憶手段と、前記遊技制御プログラムにより所要の演算処理を行う演算処理手段と、前記演算処理を行う際に値が記憶されるレジスタと、が備えられ、前記レジスタには、前記演算処理手段によって前記遊技制御プログラムが記憶されるアドレスの値が設定可能な分岐アドレス設定レジスタが含まれ、前記遊技制御プログラムには、前記分岐アドレス設定レジスタに設定された値のアドレスに処理を分岐させる特定の命令が含まれ、前記演算処理手段は、所定の起動信号が発生すると、前記遊技制御プログラムのリセットアドレスに設定された命令を実行し、前記起動信号が発生した際に、前記演算処理手段が前記遊技制御プログラムのリセットアドレスに設定された命令を実行するよりも前に、前記分岐アドレス設定レジスタに固有のアドレス値を設定する固有値設定手段を備え、前記分岐アドレス設定レジスタを用いた分岐によって、前記特図変動表示ゲームのシーケンス制御を行う。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
端末装置と通信する基地局装置であって、
第1の情報と第２の情報を送信する送信部を備え、
前記第１の情報は、下りリンクサブフレームのサブセットであるMBSFN(Multicast/ Broadcast over Single Frequency Network)サブフレームを指示し、
前記第２の情報は、下りリンク物理チャネルの送信のためのサブフレームを指示し、前記下りリンク物理チャネルはHARQ (Hybrid Automatic Repeat reQuest)に関連する制御情報を伝送するために用いられ、前記下りリンク物理チャネルはセル固有参照信号とは異なる参照信号に関連し、
前記送信部は前記第２情報によって指示されたサブフレームで前記下りリンク物理チャネルを送信し、
前記第２情報は前記第1情報によって示されたMBSFNサブフレームの各々が、前記下りリンク物理チャネルの送信のためのサブフレームであるかどうかを示すことを特徴とする基地局装置。
【請求項２】
基地局装置と通信する端末装置であって、
第1の情報と第２の情報を受信する受信部を備え、
前記第１の情報は、下りリンクサブフレームのサブセットであるMBSFN(Multicast/ Broadcast over Single Frequency Network)サブフレームを設定するために用いられ、
前記第２の情報は、下りリンク物理チャネルの送信のためのサブフレームを設定するために用いられ、前記下りリンク物理チャネルはHARQ (Hybrid Automatic Repeat reQuest)に関連する制御情報を伝送するために用いられ、前記下りリンク物理チャネルはセル固有参照信号とは異なる参照信号に関連し、
前記受信部は前記第２情報によって設定されたサブフレームで前記下りリンク物理チャネルの復号を試み、
前記第２情報は前記第1情報によって示されたMBSFNサブフレームの各々が、前記下りリンク物理チャネルの復号を試みるためのサブフレームであるかどうかを示すことを特徴とする端末装置。
【請求項３】
端末装置と通信する基地局装置に用いられる無線通信方法であって、
第1の情報と第２の情報を送信し、
前記第１の情報は、下りリンクサブフレームのサブセットであるMBSFN(Multicast/ Broadcast over Single Frequency Network)サブフレームを指示し、
前記第２の情報は、下りリンク物理チャネルの送信のためのサブフレームを指示し、前記下りリンク物理チャネルはHARQ (Hybrid Automatic Repeat reQuest)に関連する制御情報を伝送するために用いられ、前記下りリンク物理チャネルはセル固有参照信号とは異なる参照信号に関連し、
前記第２情報によって指示されたサブフレームで前記下りリンク物理チャネルを送信し、
前記第２情報は前記第1情報によって示されたMBSFNサブフレームの各々が、前記下りリンク物理チャネルの送信のためのサブフレームであるかどうかを示すことを特徴とする無線通信方法。
【請求項４】
基地局装置と通信する端末装置に用いられる無線通信方法であって、
第1の情報と第２の情報を受信し、
前記第１の情報は、下りリンクサブフレームのサブセットであるMBSFN(Multicast/ Broadcast over Single Frequency Network)サブフレームを設定するために用いられ、
前記第２の情報は、下りリンク物理チャネルの送信のためのサブフレームを設定するために用いられ、前記下りリンク物理チャネルはHARQ (Hybrid Automatic Repeat reQuest)に関連する制御情報を伝送するために用いられ、前記下りリンク物理チャネルはセル固有参照信号とは異なる参照信号に関連し、
前記第２情報によって設定されたサブフレームで前記下りリンク物理チャネルの復号を試み、
前記第２情報は前記第1情報によって示されたMBSFNサブフレームの各々が、前記下りリンク物理チャネルの復号を試みるためのサブフレームであるかどうかを示すことを特徴とする無線通信方法。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
互いに直交する３つの軸を第１軸、第２軸および第３軸とし、
前記第１軸と前記第２軸とを含む第１面に沿って配置され、一端が基部に接続している３つの振動腕を備え、
前記振動腕は、前記第１面に沿っている振動成分及び前記第３軸の方向に沿っている振動成分を有する２つの第１振動腕と、前記２つの第１振動腕の間に配置されている第２振動腕を有することを特徴とする振動素子。
【請求項２】
前記２つの第１振動腕は、前記第１面内の振動成分を互いに打消しあう請求項１に記載の振動素子。
【請求項３】
前記２つの第１振動腕は、互いに対称に屈曲振動する請求項１または２に記載の振動素子。
【請求項４】
前記振動腕の各々は、前記第１軸に沿って配置され、且つ、基部から前記第２軸に沿って延出している請求項１ないし３のいずれか一項に記載の振動素子。
【請求項５】
前記第１振動腕の横断面形状は、前記第１振動腕の幅方向の中心線に対し非対称である部分を有する請求項１ないし４のいずれか一項に記載の振動素子。
【請求項６】
前記第１振動腕の横断面形状は、前記第１振動腕の幅方向の中心線および厚さ方向の中心線に対し非対称である部分を有する請求項１ないし４のいずれか一項に記載の振動素子。
【請求項７】
前記第１振動腕の横断面形状は、平行四辺形である請求項５または６に記載の振動素子。
【請求項８】
前記第２振動腕は、少なくとも２つ配置され、
前記２つの第２振動腕は、互いに対称に屈曲振動する請求項１ないし７のいずれか一項に記載の振動素子。
【請求項９】
請求項１ないし８のいずれか一項に記載の振動素子と、
前記振動素子を収納しているパッケージと、
を備えていることを特徴とする振動デバイス。
【請求項１０】
請求項１ないし８のいずれか一項に記載の振動素子を備えていることを特徴とする電子機器。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態または適用例として実現することが可能である。
［適用例１］
本発明の振動素子は、互いに直交する３つの軸を第１軸、第２軸および第３軸とし、
前記第１軸と前記第２軸とを含む第１面に沿って配置され、一端が基部に接続している３つの振動腕を備え、
前記振動腕は、前記第１面に沿っている振動成分及び前記第３軸の方向に沿っている振動成分を有する２つの第１振動腕と、前記２つの第１振動腕の間に配置されている第２振動腕を有することを特徴とする。
これにより、振動バランスに優れ、優れた振動特性を発揮することのできる振動素子を提供することができる。
【手続補正３】
【補正対象書類名】明細書
【補正対象項目名】０００７
【補正方法】変更
【補正の内容】
【０００７】
［適用例２］
本発明の振動素子では、前記２つの第１振動腕は、前記第１面内の振動成分を互いに打消しあうことが好ましい。
これにより、振動素子の構成を簡単なものとすることができる。
［適用例３］
本発明の振動素子では、前記２つの第１振動腕は、互いに対称に屈曲振動することが好ましい。
これにより、よりバランスよく振動腕を振動させることができる。
【手続補正４】
【補正対象書類名】明細書
【補正対象項目名】０００８
【補正方法】変更
【補正の内容】
【０００８】
［適用例４］
本発明の振動素子では、前記振動腕の各々は、前記第１軸に沿って配置され、且つ、基部から前記第２軸に沿って延出していることが好ましい。
これにより、よりバランスよく振動腕を振動させることができる。
【手続補正５】
【補正対象書類名】明細書
【補正対象項目名】０００９
【補正方法】変更
【補正の内容】
【０００９】
［適用例５］
本発明の振動素子では、前記第１振動腕の横断面形状は、前記第１振動腕の幅方向の中心線に対し非対称である部分を有することが好ましい。
これにより、より確実に、第１振動腕を斜め振動させることができる。
［適用例６］
本発明の振動素子では、前記第１振動腕の横断面形状は、前記第１振動腕の幅方向の中心線および厚さ方向の中心線に対し非対称である部分を有することが好ましい。
これにより、簡単な構成で、より確実に、第１振動腕を斜め振動させることができる。
【手続補正６】
【補正対象書類名】明細書
【補正対象項目名】００１０
【補正方法】変更
【補正の内容】
【００１０】
［適用例７］
本発明の振動素子では、前記第１振動腕の横断面形状は、平行四辺形であることが好ましい。
これにより、簡単な構成で、より確実に、第１振動腕を斜め振動させることができる。
［適用例８］
本発明の振動素子では、前記第２振動腕は、少なくとも２つ配置され、
前記２つの第２振動腕は、互いに対称に屈曲振動することが好ましい。
これにより、振動特性がより向上する。
【手続補正７】
【補正対象書類名】明細書
【補正対象項目名】００１１
【補正方法】変更
【補正の内容】
【００１１】
［適用例９］
本発明の振動デバイスは、本発明の振動素子と、
前記振動素子を収納しているパッケージと、
を備えていることを特徴とする。
これにより、信頼性に優れた発振器等の振動デバイスを提供することができる。
［適用例１０］
本発明の電子機器は、本発明の振動素子を備えていることを特徴とする。
これにより、信頼性に優れた携帯電話、パーソナルコンピューター、デジタルカメラ等の電子機器を提供することができる。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
１つ以上の発光部材と、
前記発光部材が装着された基板と、
前記基板は、基板支持部材に装着された状態で発光部材が装着されていない側に空気を排出する複数の通気孔を備える発光装置。
【請求項２】
前記複数の通気孔のうちの１つ以上の通気孔は、前記発光部材の下部に設けられていることを特徴とする請求項１に記載の発光装置。
【請求項３】
前記複数の通気孔のうちの１つ以上の通気孔は、前記発光装置の移動方向と略平行に設けられていることを特徴とする請求項１または請求項２記載の発光装置。
【請求項４】
前記基板には、前記通気孔とともに電気伝導体である動伝パターンが形成され、スルーホールの貫通孔が設けられていることを特徴とする請求項１乃至３のいずれか1項に記載の発光装置。
【請求項５】
筺体と、
原稿に形成された画像を読み取る画像読取部と
を有し、
前記画像読取部は、
原稿に光を放射する１つ以上の発光部材と、
前記発光部材が装着され、基板支持部材に装着された状態で発光部材が装着されていない側に空気を排出する複数の通気孔を設けた基板と
を有する画像読取装置。
【手続補正２】
【補正対象書類名】明細書
【補正対象項目名】０００５
【補正方法】変更
【補正の内容】
【０００５】
請求項１にかかる発明は、１つ以上の発光部材と前記発光部材が装着された基板と、前記基板は、基板支持部材に装着された状態で発光部材が装着されていない側に空気を排出する複数の通気孔を備える発光装置である。
【手続補正３】
【補正対象書類名】明細書
【補正対象項目名】０００６
【補正方法】変更
【補正の内容】
【０００６】
請求項２にかかる発明は、前記複数の通気孔のうちの１つ以上の通気孔は、前記発光部材の下部に設けられていることを特徴とする請求項１に記載の発光装置である。
【手続補正４】
【補正対象書類名】明細書
【補正対象項目名】０００７
【補正方法】変更
【補正の内容】
【０００７】
請求項３にかかる発明は、前記複数の通気孔のうちの１つ以上の通気孔は、前記発光装置の移動方向と略平行に設けられていることを特徴とする請求項１または請求項２記載の発光装置である。
【手続補正５】
【補正対象書類名】明細書
【補正対象項目名】０００８
【補正方法】変更
【補正の内容】
【０００８】
請求項４にかかる発明は、前記基板には、前記通気孔とともに電気伝導体である動伝パターンが形成され、スルーホールの貫通孔が設けられていることを特徴とする請求項１乃至３いずれか一項に記載の発光装置である。
【手続補正６】
【補正対象書類名】明細書
【補正対象項目名】０００９
【補正方法】変更
【補正の内容】
【０００９】
請求項５にかかる発明は、筺体と、原稿に形成された画像を読み取る画像読取部とを有し、前記画像読取部は、原稿に光を放射する１つ以上の発光部材と、
前記発光部材が装着され、基板支持部材に装着された状態で発光部材が装着されていない側に空気を排出する複数の通気孔を設けた基板とを有する画像読取装置である。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１５
【補正方法】変更
【補正の内容】
【００１５】
請求項３に係る本発明によれば、請求項１または請求項２に係る本発明により得られる効果に加えて、本構成を有しない場合と比較してさらに効率的に熱を排出できる発光装置を提供できる。
【手続補正１１】
【補正対象書類名】明細書
【補正対象項目名】００１６
【補正方法】変更
【補正の内容】
【００１６】
請求項４に係る本発明によれば、請求項１乃至３のいずれか１項に係る本発明により得られる効果に加えて、本構成を有しない場合と比較してさらに効率的に熱を排出できる発光装置を提供できる。
【手続補正１２】
【補正対象書類名】明細書
【補正対象項目名】００１７
【補正方法】変更
【補正の内容】
【００１７】
請求項５に係る本発明によれば、本構成を有しない場合と比較して効率的に発光部材の周囲の熱を排出することができる画像読取装置を提供できる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】